(57)【要約】【課題】生体情報を取得するためのセンサ数を減少させ、構成を単純化させつつ複数の生体情報を取得する。【解決手段】患者の状態を示す基礎生体情報を検知するセンサ１６と、該センサ１６により検知した基礎生体情報から複数の生体情報を取得する生体情報処理部２１Ａと、を備える生体情報取得装置を提供する。患者の生体から得られる基礎となる１つの基礎生体情報をセンサにより検知し、この基礎生体情報から複数の生体情報を取得するので、生体情報を取得するための１つのセンサを設けるだけの単純な構成で、患者の容体を把握するのに必要な複数の生体情報を取得することができる。【選択図】図１
2014155639.tif 000002
【特許請求の範囲】
【請求項１】
患者の状態を示す基礎生体情報を検知するセンサと、
該センサにより検知した基礎生体情報から複数の生体情報を取得する生体情報処理部と、
を備える生体情報取得装置。
【請求項２】
前記センサが、心嚢腔内圧を検知する心嚢腔内圧センサであり、
前記生体情報処理部が、前記心嚢腔内圧センサの検知結果に基づいて心嚢腔内の圧力値、心拍数及び呼吸数を取得する請求項１に記載の生体情報取得装置。
【請求項３】
前記センサが、心嚢腔内圧を検知する心嚢腔内圧センサであり、
前記生体情報処理部が、前記心嚢腔内の圧力値の最大値、最小値及び平均値の少なくとも一つを取得する請求項１に記載の生体情報取得装置。
【請求項４】
請求項２の生体情報取得装置と、
所定の気体を生体の心嚢腔内へ送気する送気手段と、
前記心嚢腔内の圧力値と、心拍数及び呼吸数の少なくとも何れか一つとに基づいて前記送気手段を制御する制御手段と、を備える送気装置。
【請求項５】
請求項３の生体情報取得装置と、
所定の気体を生体の心嚢腔内へ送気する送気手段と、
前記心嚢腔内の圧力値の最大値、最小値及び平均値の少なくとも一つに基づいて前記送気手段を制御する制御手段と、を備える送気装置。
【請求項６】
請求項２の生体情報取得装置と、
所定の気体を生体の心嚢腔内へ送気する送気手段と、
前記心嚢腔内の気体を排気する排気手段と、
前記心嚢腔内の圧力値と、心拍数及び呼吸数の少なくとも何れか一つとに基づいて前記送気手段及び前記排気手段を制御する制御手段と、を備える送気装置。
【請求項７】
請求項３の生体情報取得装置と、
所定の気体を生体の心嚢腔内へ送気する送気手段と、
前記心嚢腔内の気体を排気する排気手段と、
前記心嚢腔内の圧力値の最大値、最小値及び平均値の少なくとも一つに基づいて前記送気手段及び前記排気手段を制御する制御手段と、を備える送気装置。
【発明の詳細な説明】
【技術分野】
【０００１】
本発明は、検出した１つの生体情報に基づいて複数の生体情報を取得する生体情報取得装置、及びこの生体情報取得装置を備えた送気装置に関するものである。
【背景技術】
【０００２】
例えば、腹腔鏡下外科手術等においては、内視鏡の視野を確保する目的及び手術器具等の処置具の操作領域を確保する目的で、体腔内に所定の気体を送気している。医師は、この気体の送気に際して、体腔内の圧力が過度に上昇することによる患者への負担を抑制するため、患者の血圧、脈拍、呼吸、心電図等所望の生体情報を確認しながら手術を行う。
このような送気、生体情報の確認を含む手術システムの例として、特許文献１には、気体を送気するための気腹装置と、患者生体情報を検知する患者モニター装置とを具備し、患者モニター装置で検知した生体情報に基づいて気腹装置をコントロールすることが開示されている。
【先行技術文献】
【特許文献】
【０００３】
【特許文献１】特開２００６−６１７０２号公報
【発明の概要】
【発明が解決しようとする課題】
【０００４】
しかしながら、上記した特許文献１の手術システムでは、腹腔圧情報を検知するための腹腔圧センサと呼吸情報を検知するための呼吸センサとを別個独立に設けているため、必要となるセンサ数が多く、構成が複雑となる。
【０００５】
本発明は、上記問題に鑑みてなされたものであって、生体情報を取得するためのセンサ数を減少させ、構成を単純化させつつ複数の生体情報を取得することを目的とする。
【課題を解決するための手段】
【０００６】
上記目的を達成するため、本発明は以下の手段を提供する。
本発明は、患者の状態を示す基礎生体情報を検知するセンサと、該センサにより検知した基礎生体情報から複数の生体情報を取得する生体情報処理部と、を備える生体情報取得装置を提供する。
【０００７】
本発明によれば、患者の生体から得られる基礎となる１つの基礎生体情報をセンサにより検知し、この基礎生体情報から複数の生体情報を取得するので、生体情報を取得するための１つのセンサを設けるだけの単純な構成で、患者の容体を把握するのに必要な複数の生体情報を取得することができる。
【０００８】
上記発明において、前記センサが、心嚢腔内圧を検知する心嚢腔内圧センサであり、前記生体情報処理部が、前記心嚢腔内圧センサの検知結果に基づいて心嚢腔内の圧力値、心拍数及び呼吸数を取得することが好ましい。
【０００９】
このようにすることで、心嚢腔内圧センサにより得られた検知結果に基づいて、生体情報として心嚢腔内の圧力値、心拍数及び呼吸数を取得することにより、１つのセンサを設けるだけの単純な構成で、患者の容体をより詳細に把握することができる。
【００１０】
上記発明において、前記センサが、心嚢腔内圧を検知する心嚢腔内圧センサであり、前記生体情報処理部が、前記心嚢腔内の圧力値の最大値、最小値及び平均値の少なくとも一つを取得することが好ましい。
【００１１】
このようにすることで、１つのセンサを設けるだけの単純な構成で、患者の容体をより詳細に把握することができる。すなわち、心嚢腔内の圧力値の最大値は、瞬間的に達する最大の心嚢腔内圧力であり、心臓への最大負荷状態を示し、安全性評価に重要な指標となる。最小値は、心嚢腔内圧の変移周期の内、最小の心嚢腔内圧力であり、心臓への負荷を最小とした状態を示し、安全性評価に重要な指標となる。平均値は、心嚢腔内圧変移の大まかな状態を把握することができ、特に、低酸素血症による呼吸数が増加した状態や頻脈では変動が細かくなるので、平均値を取得することにより患者の大まかな容体を把握することが可能となる。
【００１２】
また、本発明は、請求項２の生体情報取得装置と、所定の気体を生体の心嚢腔内へ送気する送気手段と、前記心嚢腔内の圧力値と、心拍数及び呼吸数の少なくとも何れか一つに基づいて前記送気手段を制御する制御手段と、を備える送気装置を提供する。
【００１３】
本発明によれば、送気手段により所定の気体を生体の心嚢腔内へ送気するに際し、制御手段により心嚢腔内の圧力値と、心拍数及び呼吸数の少なくとも何れか一つとに基づいて送気手段を制御する。これにより、患者の容体を複数の指標、すなわち、複数の生体情報に基づいて精度よく把握することができるので、気体の送気を確実かつ適正に行って、例えば、心嚢腔内に過剰に気体を送気することによる心タンポナーデ様症状を防止したり、この心タンポナーデ様症状と気体吸収による低酸素血症とを区別したりすることができる。
【００１４】
また、本発明は、請求項３の生体情報取得装置と、所定の気体を生体の心嚢腔内へ送気する送気手段と、前記心嚢腔内圧の最大値、最小値及び平均値の少なくとも一つに基づいて前記送気手段を制御する制御手段と、を備える送気装置を提供する。
【００１５】
本発明によれば、送気手段により所定の気体を生体の心嚢腔内へ送気するに際し、制御手段により心嚢腔内の圧力値の最大値、最小値及び平均値の少なくとも一つに基づいて送気手段を制御する。これにより、患者の容体を複数の指標、すなわち、生体情報に基づいて精度よく把握することができるので、気体の送気を確実かつ適正に行うことができる。
【００１６】
また、本発明は、請求項２の生体情報取得装置と、所定の気体を生体の心嚢腔内へ送気する送気手段と、前記心嚢腔内の気体を排気する排気手段と、前記心嚢腔内の圧力値と、心拍数及び呼吸数の少なくとも何れか一つとに基づいて前記送気手段及び前記排気手段を制御する制御手段と、を備える送気装置を提供する。
本発明によれば、送気手段により所定の気体を生体の心嚢腔内への送気又は排気に際し、制御手段により心嚢腔内の圧力値と、心拍数及び呼吸数の少なくとも何れか一つとに基づいて送気手段及び排気手段を制御する。これにより、患者の容体を複数の指標、すなわち、複数の生体情報に基づいて精度よく把握することができるので、気体の送気や排気を確実かつ適正に行って、例えば、心嚢腔内に過剰に気体を送気することによる心タンポナーデ様症状を防止したり、この心タンポナーデ様症状と気体吸収による低酸素血症とを区別したりすることができる。
【００１７】
また、本発明は、請求項３の生体情報取得装置と、所定の気体を生体の心嚢腔内へ送気する送気手段と、前記心嚢腔内の気体を排気する排気手段と、前記心嚢腔内の圧力値の最大値、最小値及び平均値の少なくとも一つに基づいて前記送気手段及び前記排気手段を制御する制御手段と、を備える送気装置を提供する。
本発明によれば、送気手段により所定の気体を生体の心嚢腔内への送気又は排気に際し、制御手段により心嚢腔内の圧力値の最大値、最小値及び平均値の少なくとも一つに基づいて送気手段及び排気手段を制御する。これにより、患者の容体を複数の指標、すなわち、生体情報に基づいて精度よく把握することができるので、気体の送気や排気を確実かつ適正に行うことができる。
【発明の効果】
【００１８】
本発明によれば、生体情報を取得するためのセンサ数を減少させ、構成を単純化させつつ複数の生体情報を取得することができるという効果を奏する。
【図面の簡単な説明】
【００１９】
【図１】本発明の第１の実施形態に係る生体情報取得装置を備えた送気装置の概略構成を示すブロック図である。
【図２】第１処理部の出力（心嚢腔内の圧力値）のアナログデータを示すグラフである。
【図３】平均値算出部に適用されるローパスフィルタの特性を示す図である。
【図４】平均値算出部による出力結果を示すグラフである。
【図５】最大値算出部に適用されるピーク検出回路の例を示す図である。
【図６】最小値算出部に適用されるボトム検出回路の例を示す図である。
【図７】第２処理部に適用されるハイパスフィルタの特性を示す図である。
【図８】第２処理部の出力（心拍数の周波数成分）のアナログデータを示すグラフである。
【図９】第３処理部に適用されるバンドパスフィルタの特性を示す図である。
【図１０】第３処理部の出力（呼吸数の周波数成分）のアナログデータを示すグラフである。
【図１１】本発明の第２の実施形態に係る生体情報取得装置を備えた送気装置の概略構成を示すブロック図である。
【発明を実施するための形態】
【００２０】
（第１の実施形態）
以下に、本発明の第１の実施形態に係る生体情報取得装置を備える送気装置について図面を参照して説明する。なお、本実施形態においては、送気装置１が心嚢腔内に所定の気体を送気するものとして説明する。
【００２１】
図１は、本実施形態に係る送気装置の概略構成を示すブロック図である。図１に示すように送気装置は、所定の気体の供給源であるガスボンベ１０から気体を患者の体腔内に送気するものであり、入力圧力計１１、減圧器１２、送気手段を構成する電空比例弁１３及び電磁弁１４、流量センサ１５、圧力センサ（心嚢腔内圧センサ）１６、コネクタ２０、トラカール１７、排気手段を構成するピンチバルブ１８及び吸引部１９、制御部２１及び表示・操作部２２を備えている。
また、送気装置１は、気体の出力方向に向かって順に、入力圧力計１１、減圧器１２、電空比例弁１３、電磁弁１４、流量センサ１５、圧力センサ１６及びトラカール１７が直列に接続された気体流路となる送気用管路（図示せず）を備えている。
【００２２】
入力圧力計１１は、ガスボンベ１０から供給された気体の圧力を測定するとともに、その測定結果を制御部２１に出力する。減圧器１２は、ガスボンベ１０から送気装置内に供給された気体を所定の圧力に減圧する。
【００２３】
電空比例弁１３と電磁弁１４とは、送気用管路を流通した気体をトラカール１７を介して患者の体腔に送気するための送気手段を構成するものであり、電空比例弁１３は、減圧器１２によって減圧された気体を制御部２１から出力される制御信号に基づいて、所定の圧力、例えば、送気圧をおよそ０〜８０ｍｍＨｇの圧力範囲に調整する。
【００２４】
電磁弁１４は、制御部２１から出力される制御信号に基づいて開閉動作される。圧力センサ１６は、電空比例弁１３の出力側の送気用管路内の圧力を測定し、その測定結果を制御部２１に出力する。なお、圧力センサ１６が、患者の状態を示す基礎となる生体情報を取得するセンサとして機能する。そして、圧力センサ１６は、可能な限り送気用管路の先端側に設けられることが好ましい。
【００２５】
流量センサ１５は、ガスボンベ１０から出力される気体の流量を測定して、その測定結果を制御部２１に出力する。すなわち、ガスボンベ１０から供給された気体は、減圧器１２で減圧された後、制御部２１から出力される制御信号に基づいて、送気用管路を介して、所定の圧力、流量及び容積だけ、コネクタ２０を介してトラカール１７に出力されるようになっている。
【００２６】
トラカール１７は、患者の体腔内に挿入され、送気用管路を流通してきた気体を体腔内に供給する。なお、トラカール１７に接続されるピンチバルブ１８は、吸引部１９に接続され、必要に応じてピンチバルブを開状態とすることにより体腔内の気体を吸引して排出する。
【００２７】
表示・操作部２２には、図示しない送気開始ボタン、送気停止ボタン、送気モード切り替えボタン、心嚢腔内の圧力値等の各種生体情報や気体の供給量を表示する表示部及び警告通知手段である警告灯が設けられ、ユーザによる操作指示を入力し、これを制御部２１に出力する。
【００２８】
制御部２１は、圧力センサ１６からの測定結果に対して所定の処理を行い、患者の心拍数、呼吸数、及び心嚢腔内圧の圧力値を取得する生体情報処理部２１Ａと、上記各部を制御すると共に、特に、生体情報処理部２１Ａによる算出結果に基づいて送気手段としての電空比例弁１３と電磁弁１４とを制御する処理部２１Ｂとを備えている。
【００２９】
より具体的には、生体情報処理部２１Ａは、心嚢腔内の圧力値を算出する第１処理部２５Ａと、心拍数を算出する第２処理部２５Ｂと、呼吸数を算出する第３処理部２５Ｃとを備えている。
第１処理部２５Ａにより算出される心嚢腔内の圧力値は、例えば、図２に示すようなアナログデータとして出力される。また、第１処理部２５Ａは、心嚢腔内の圧力値のほかに、その平均値、最大値及び最小値を算出するため、図示しない平均値算出部、最大値算出部、及び最小値算出部を備えている。
【００３０】
平均値算出部としては、遮断周波数を呼吸周波数よりも小さくしたローパス（ハイカット）フィルタを適用することができ（図３参照）、例えば、図２に示すアナログデータの圧力値に対しては、０．２Ｈｚより小さい周波数、例えば、０．１Ｈｚを遮断周波数とするローパスフィルタを用いることができる。これにより、図４に示す心嚢腔内の圧力の平均値が出力される。
【００３１】
最大値算出部としては、例えば、図５に示すピーク検出回路を適用することができる。圧力センサ１６の測定結果に基づいて第１処理部２５Ａにより算出されるアナログデータをこのピーク検出回路に入力することで、心嚢腔内圧の最大値が検出できる。
最小値算出部としては、例えば、図６に示すボトム検出回路を適用することができる。圧力センサ１６の測定結果に基づいて第１処理部２５Ａにより算出されるアナログデータをボトム検出回路に入力することで、心嚢腔内圧の最小値が検出できる。
【００３２】
第２処理部２５Ｂは、圧力センサ１６の測定結果に基づいて第１処理部２５Ａにより算出されるアナログデータを、遮断周波数を心拍周波数よりも小さくしたハイパス（ローカット）フィルタ（図７参照）とフーリエ解析回路を備えている。例えば、図２に示すアナログデータの圧力値に対しては、１Ｈｚより小さい周波数を遮断周波数とするハイパスフィルタを用いる。これにより、呼吸変動の周波数を除いて、図８に示すような心拍の周波数成分が主体のアナログデータが出力され、これを周波数解析（フーリエ）し、主となる周波数の逆数である周期を心拍数として示す。
【００３３】
ここで、人の正常心拍数の下限値が５０回／分（徐脈との境界）であるので、５０回／６０秒＝０．８３３３Ｈｚとなる。従って、第２処理部２５Ｂのハイパスフィルタにおける遮断周波数を０．８Ｈｚとすることが好ましい。
【００３４】
第３処理部２５Ｃは、バンドパスフィルタとフーリエ解析回路とを備えている。このバンドパスフィルタは、図９に示すように、遮断周波数１が呼吸周波数よりも小さく、遮断周波数２が心拍周波数よりも小さく、かつ、呼吸周波数よりも大きい特性を備えている。そして、第３処理部２５Ｃでは、図２に示すアナログデータの圧力値に対しては、１Ｈｚより小さくかつ０．２Ｈｚより大きい周波数を遮断周波数２とするバンドパスフィルタを用いる。これにより、図１０に示すような呼吸周波数成分が主体のアナログデータが出力され、これを周波数解析（フーリエ）し、主となる周波数の逆数である周期を呼吸数として示す。
【００３５】
ここで、人の正常呼吸数は１２〜２０回／分であるので、この下限値は１２回／６０秒＝０．２Ｈｚとなる。また、人工呼吸器の一般的な設定は１０〜３０回／分であるので、１０回／６０秒＝０．１６６６Ｈｚとなる。従って、第３処理部２５Ｃのバンドパスフィルタにおいて、遮断周波数１を０．１Ｈｚとし、遮断周波数２を０．８Ｈｚとすることが好ましい。
【００３６】
処理部２１Ｂは、生体情報処理部２１Ａにより取得された各生体情報に基づいて送気手段としての電空比例弁１３と電磁弁１４と、排気手段としてピンチバルブ１８と吸引部１９とを制御し、患者の心嚢腔内への気体の送気や排気等を制御する。
処理部２１Ｂによる制御モードとして、例えば、以下のようなものが考えられ、操作者は、各制御モードを適宜選択して適用することができる。
【００３７】
（制御モード１）
制御モード１では、生体情報処理部２１Ａにより取得した生体情報のうち、心嚢腔内圧の最大値、最小値及び平均値の少なくとも一つに基づいて送気手段及び排気手段を制御する。
具体的には、心嚢腔内の圧力値の最大値、最小値または平均値の夫々閾値を設定し、最大値、最小値または平均値の何れか一つが設定された閾値を超えた場合に、心嚢腔に対する送気を停止し、心嚢腔内の気体を直ちに排気する。
一方、心嚢腔内の圧力値の最大値、最小値又は平均値が設定した閾値を下回った場合には、心嚢腔に対する送気を開始する。
【００３８】
（制御モード２）
制御モード２では、生体情報処理部２１Ａにより取得した生体情報のうち、心嚢腔内の圧力値と、心拍数及び呼吸数の少なくとも何れか一つ基づいて送気手段及び排気手段を制御する。
具体的には、心嚢腔内の圧力値と、心拍数及び呼吸数の少なくとも何れか一方とが所定の閾値を超えた場合に、心嚢腔に対する送気を停止し、心嚢腔内の気体を直ちに排気し、酸素補給のための警告灯を表示・操作部２２に点灯させる。
【００３９】
また、心嚢腔内の圧力値が閾値を下回り、心拍数及び呼吸数の少なくとも何れか一方が閾値を超えた場合に、酸素補給のための警告灯を表示・操作部２２に点灯させる。さらに、心嚢腔内の圧力値が閾値を超え、心拍数及び呼吸数の少なくとも何れか一方が閾値を下回ったら、心嚢腔に対する送気を停止し、心嚢腔内の気体を直ちに排気する。心嚢腔内の圧力値と、心拍数及び呼吸数の少なくとも何れか一方が夫々閾値を下回った場合に、心嚢腔に対する送気を開始する。
【００４０】
このように構成された本実施形態に係る送気装置では、医師又は看護師等の操作者により、送気装置の電源スイッチがＯＮ投入されることで、所定の設定操作等を行い、制御部２１は、操作部２２からの指示に従って気体の送気を開始する。
ここで、医師等の操作により送気装置において、生体情報として如何なる情報を取得するか、また、上記した制御モードの何れを適用するかを設定することができる。
【００４１】
制御部２１は、まず、電空比例弁１３を開き、次いで、電磁弁１４を開いて腔内に送気を行う。このとき、ガスボンベ１０からの気体は、減圧器１２により所定の圧力に減圧されて出力される。減圧器１２から出力された気体は、電空比例弁１３、電磁弁１４及び流量センサ１５を介してトラカール１７まで供給され、トラカール１７を介して患者の心嚢腔内へ供給される。気体の供給中、圧力センサ１６は、所定のタイミングで電空比例弁１３の出力側の送気用管路内の圧力を測定し、その測定結果を制御部２１の生体情報処理部２１Ａに出力する。
【００４２】
生体情報処理部２１Ａでは、圧力センサ１６の測定結果に基づいて、必要な生体情報を取得し、取得した生体情報を処理部２１Ｂに出力する。処理部２１Ｂでは、取得した生体情報及び設定された制御モードに従って、送気手段及び排気手段を制御する。
【００４３】
このように、本実施形態によれば、患者の生体から得られる基礎となる１つの基礎生体情報をセンサにより検知し、この基礎生体情報から複数の生体情報を取得するので、生体情報を取得するための１つのセンサを設けるだけの単純な構成で、患者の容体を把握するのに必要な複数の生体情報を取得することができる。そして、複数の生体情報に基づいて患者の容体を精度よく把握することができるので、気体の送気や排気を確実かつ適正に行うことができる。
【００４４】
特に、制御モード１を適用した場合には、生体情報として心嚢内圧の最大値、最小値及び平均値のいずれか１つまたは全てを指標とすることで、心臓の拍出圧が低下する心タンポナーデを未然に防止することができ、或いは万が一発生した場合でも、直ちに負荷となる気体を廃棄するので患者の安全を維持することができる。また、気体を供給する前や、例えば、気体の心嚢腔外への漏れや吸収により、心嚢腔内の圧力値が設定した閾値を下回った場合のみ送気を許可することで、危険な状態を早く、かつ精度よく送気装置を制御することができる。
【００４５】
また、制御モード２を適用した場合には、心嚢腔内の圧力値と、心拍数及び呼吸数の少なくとも何れか一つを指標とすることで、異なる複数種類の生体情報に基づいて患者の容体を把握することができるので、気体の送気や排気を確実かつ適正に行うことができる。
なお、上述した本発明に係る生体情報取得装置、乃至はこの生体情報取得装置を備える送気装置を従来の、例えば、心電図計や人工呼吸器等の他の装置と組み合わせて適用することもできる。この場合には、システム全体としてはセンサ数を減らすことができないものの、同一の生体情報を異なるセンサにより取得するので、患者の容体をより正確に把握することができるという利点がある。
【００４６】
また、上述した実施形態においては、１つの装置において２つの制御モードを選択的に設定することができることとしたが、更に多くの制御モードを備える構成とすることもでき、また、何れか一つの制御モードが予め定められ、この制御モードに必要な生体情報のみを取得する構成とすることもできる。
【００４７】
（第２の実施形態）
以下、本発明の第２の実施形態に係る送気装置２について説明する。本実施形態に係る送気装置２は、図１１に示すように、上記した第１の実施形態における送気装置１と比較して、排気手段としてのピンチバルブ１８と吸引部１９を備えない点が相違する。この場合には、制御部２１は送気手段を制御すればよく、送気装置構成を少なく単純化することができるという利点がある。以下、上記した第１の実施形態に係る送気装置と同一の構成には同符号を付し、その説明を省略する。
【００４８】
本実施形態において、処理部２１Ｂは、送気手段としての電空比例弁１３と電磁弁１４のみを制御する。つまり、処理部２１Ｂは、生体情報処理部２１Ａにより取得された各生体情報に基づいて送気手段としての電空比例弁１３と電磁弁１４とを制御し、患者の心嚢腔内への気体の送気を制御する。
処理部２１Ｂによる制御モードとして、例えば、以下のようなものが考えられ、操作者は、各制御モードを適宜選択して適用することができる。
【００４９】
（制御モード１）
制御モード１では、生体情報処理部２１Ａにより取得した生体情報のうち、心嚢腔内圧の最大値、最小値及び平均値の少なくとも一つに基づいて送気手段を制御する。
具体的には、心嚢腔内の圧力値の最大値、最小値または平均値の夫々閾値を設定し、最大値、最小値または平均値の何れか一つが設定された閾値を超えた場合に、心嚢腔に対する送気を停止する。
一方、心嚢腔内の圧力値の最大値、最小値又は平均値が設定した閾値を下回った場合には、心嚢腔に対する送気を開始する。
【００５０】
（制御モード２）
制御モード２では、生体情報処理部２１Ａにより取得した生体情報のうち、心嚢腔内の圧力値と、心拍数及び呼吸数の少なくとも何れか一つ基づいて送気手段を制御する。
具体的には、心嚢腔内の圧力値と、心拍数及び呼吸数の少なくとも何れか一方とが所定の閾値を超えた場合に、心嚢腔に対する送気を停止し、酸素補給のための警告灯を表示・操作部２２に点灯させる。
【００５１】
また、心嚢腔内の圧力値が閾値を下回り、心拍数及び呼吸数の少なくとも何れか一方が閾値を超えた場合に、酸素補給のための警告灯を表示・操作部２２に点灯させる。さらに、心嚢腔内の圧力値が閾値を超え、心拍数及び呼吸数の少なくとも何れか一方が閾値を下回ったら、心嚢腔に対する送気を停止する。心嚢腔内の圧力値と、心拍数及び呼吸数の少なくとも何れか一方が夫々閾値を下回った場合に、心嚢腔に対する送気を開始する。
【００５２】
このように構成された本実施形態に係る送気装置では、医師又は看護師等の操作者により、送気装置の電源スイッチがＯＮ投入されることで、所定の設定操作等を行い、制御部２１は、操作部２２からの指示に従って気体の送気を開始する。
ここで、医師等の操作により送気装置において、生体情報として如何なる情報を取得するか、また、上記した制御モードの何れを適用するかを設定することができる。
【００５３】
制御部２１は、まず、電空比例弁１３を開き、次いで、電磁弁１４を開いて腔内に送気を行う。このとき、ガスボンベ１０からの気体は、減圧器１２により所定の圧力に減圧されて出力される。減圧器１２から出力された気体は、電空比例弁１３、電磁弁１４及び流量センサ１５を介してトラカール１７まで供給され、トラカール１７を介して患者の心嚢腔内へ供給される。気体の供給中、圧力センサ１６は、所定のタイミングで電空比例弁１３の出力側の送気用管路内の圧力を測定し、その測定結果を制御部２１の生体情報処理部２１Ａに出力する。
【００５４】
生体情報処理部２１Ａでは、圧力センサ１６の測定結果に基づいて、必要な生体情報を取得し、取得した生体情報を処理部２１Ｂに出力する。処理部２１Ｂでは、取得した生体情報及び設定された制御モードに従って送気手段を制御する。
【００５５】
このように、本実施形態によれば、患者の生体から得られる基礎となる１つの基礎生体情報をセンサにより検知し、この基礎生体情報から複数の生体情報を取得するので、生体情報を取得するための１つのセンサを設けるだけの単純な構成で、患者の容体を把握するのに必要な複数の生体情報を取得することができる。そして、複数の生体情報に基づいて患者の容体を精度よく把握することができるので、気体の送気を確実かつ適正に行うことができる。そして、排気手段を有しないことから、送気装置の構成を少なく単純化させることができる。
【符号の説明】
【００５６】
１  送気装置
２  送気装置
１０  ガスボンベ
１１  入力圧力計
１２  減圧器
１３  電空比例弁
１４  電磁弁
１５  流量センサ
１６  圧力センサ
１７  トラカール
１８  ピンチバルブ
１９  吸引部
２０  コネクタ
２１  制御部
２１Ａ  生体情報処理部
２１Ｂ  処理部
２２  表示・操作部
２５Ａ  第１処理部
２５Ｂ  第２処理部
２５Ｃ  第３処理部
【図１】
2014155639.tif 000003
【図２】
2014155639.tif 000004
【図３】
2014155639.tif 000005
【図４】
2014155639.tif 000006
【図５】
2014155639.tif 000007
【図６】
2014155639.tif 000008
【図７】
2014155639.tif 000009
【図８】
2014155639.tif 000010
【図９】
2014155639.tif 000011
【図１０】
2014155639.tif 000012
【図１１】
2014155639.tif 000013